(57)【要約】【課題】  使用が簡単で外部の影響も受けなく、肺活量値を正確に計測すること。【解決手段】  ブローパイプ３０を設け、当該ブローパイプ３０の一端にケーシング部１０を設ける。当該ケーシング部の内部に電子回路２０を設け、当該電子回路は圧電素子２２と接続している。当該圧電素子はケーシング部よりブローパイプ３０に延ばしている。当該圧電素子はブローパイプ３０の気流を通過する区域に設けた肺活量測定装置。【選択図】  図２
0003107957.tif 000002
【実用新案登録請求の範囲】
【請求項１】
ケーシング部、当該ケーシング部に電子回路を設け、
ブローパイプ、当該ケーシング部と緊密に連結され、利用者が当該ブローパイプに息を吹き込ませ、
圧電素子、ブローパイプの放射方向に延ばして内部にぶら下がるほか、当該圧電素子は電子回路と接続し、
前記の部品により、利用者がブローパイプに息を吹き込んだとき、圧電素子の変形に応じて、電子回路が圧電素子変形後の電圧変化を計算して、肺活量の数値を算出することを特徴とする、
肺活量測定装置。
【請求項２】
当該電子回路は電子回路板上に構成されることを特徴とする請求項1記載の肺活量測定装置。
【請求項３】
当該電子回路上にキースイッチを設けることを特徴とする請求項1または2記載の肺活量測定装置。
【請求項４】
圧電素子がその中を通するため、当該ブローパイプとケーシング部との間に穿孔を設けることを特徴とする請求項1記載の肺活量測定装置。
【請求項５】
当該穿孔の内部に圧電素子を固定するための栓を設けることを特徴とする請求項4記載の肺活量測定装置。
【考案の詳細な説明】
【技術分野】
【０００１】
本考案は、一種の肺活量測定装置に関するものである。一種の圧電素子が変形による電圧生成量の違いでもって、被測定者の肺活量を測定する。
【背景技術】
【０００２】
<1>健康保健の“治療より予防が重要”という概念は、国民一般に浸透したことと、科学技術の進展が日進月歩により、ここ数年には、家庭で使用可能な医療装置が盛んになっている。例を挙げますと、電気治療機器、電子式針灸器、肺活量測定器、電子式血圧計などの装置、治療の目的または測定装置は、利用者自身で操作し、家庭での保健医療の目的を果たしている。
<2>このうち、肺活量測定器はいつでも測定喘息患者の呼吸が正常であるか否かを測定して、患者の発症および緊急事態の発生を事前に防止できるほか、一般の人は体の変化を記録する工具にもなるため、とりわけ喘息患者に広く頼られている。
【考案の開示】
【考案が解決しようとする課題】
【０００３】
現在市販中のフロート式の簡単なものは、息を肺活量測定器に吹き込んだとき、内蔵されたフロートが宙に浮かぶ原理を利用して、さらに、特定の機構または電子回路により当該フロートの動く回数を計測して、その時点の肺活量値を算出している。しかし、息が吹き込まれたとき、フロートの揺れる方向は一定でない。このため、電子回路でフロートの揺動状態によって肺活量値を算出する場合は、フロートの移動空間を制限しなければならない。このため、フロートの製造またはフロートの収納機構の加工に当たり、高度な精度が必要となり、製造原価も高くなる。
【０００４】
もう一種の肺活量測定器は、図１に示す通り、ケーシング部100があり、当該ケーシング部100に電子回路板110が内装され、当該電子回路板110上に光センサー120を設け、当該光センサー120はケーシング部100一端の通し穴101に突き出す格好である、さらに、ケーシング部100に通し穴101を設けた端面にブローパイプ90を設ける、当該ブローパイプ90と通し穴101と向かい合った場所に導通した穿孔91がある、さらに、当該ブローパイプ90は穿孔91の付近にブローパイプ90端面に向かったプロペラ80を設けて、当該プロペラ80は穿孔91の上に取り付ける。
【０００５】
このような機構の装置は、使用するとき利用者がブローパイプ90に息を吹き込んで、プロペラ80を回転させる、このとき、光センサー120はプロペラの回転回数を計測し、電子回路板110のマイクロプロセッサーに送信して、当該マイクロプロセッサーで決められた回転数と流速比によって、肺活量の数値を正確に算出し、ディスプレイ(図示していない)に表示させるほか、後日の医療目的に参考させる。
【０００６】
しかし、前記した従来の肺活量測定装置にあっては、次のような問題点がある。
測定精度が理想でない。当該肺活量測定器のプロペラ80は一般として、鉄製の金属が使用されている。しかし、プロペラ80は湿気またはつばの駐留により錆を形成すると、その回転順調性が悪くなる。さらにそのプロペラ80の駆動軸の両端はベアリングに接続して、ケーシング部100の内部に取り付けている。一方、ベアリングは垢が溜まると、取外し清掃が難しいため、垢の堆積によりプロペラ80回転に影響し、電子回路板110のマイクロプロセッサーは正確なプロペラ80回転速度による肺活量の精確計算ができなくなる。
【課題を解決するための手段】
【０００７】
公知の上記のような課題を解決するために、本考案の肺活量測定装置はその問題点の改善を研究し改善を図り、合理的な解決策を追究するため、複数回の研究、解析、設計により、本考案の肺活量測定装置を考案した。
【０００８】
本考案の一つの目的は、一種の肺活量測定装置の提供に関するものである。当該装置上にブローパイプを設け、当該ブローパイプは息を吹き込むために設けられる。さらに、当該ブローパイプの一端にケーシング部を設け、当該ケーシング部に電子回路を内装する。当該電子回路は圧電素子と接続し、当該圧電素子はブローパイプ内部に垂直に設置される。利用者これにより、圧電素子に向かって息を吹き込むと、圧電素子はその圧力を受けて変形を引き起こす。さらに、電子回路によって圧電素子の変形度合いで電圧変化を算出して、肺活量の数値に置き換えられる。このように、使用が簡単で外部の影響も受けなく、肺活量値を正確に計測できる。
【０００９】
本考案のもう一つの目的は、一種の肺活量測定装置の提供に関するものである。当該装置の制御およびモード切り替えのために、電子回路上に一つ以上のキースイッチを設けている。
【考案の効果】
【００１０】
本考案の肺活量測定装置にあっては、使用が簡単で外部の影響も受けなく、肺活量値を正確に計測できる。
【考案を実施するための最良の形態】
【００１１】
以下、本考案の目的、形状構造、装置の特長並びにその効果について、さらなる認識と理解を図るため、実施例と図面を参照しながら、本考案の実施の形態について説明する。
【実施例１】
【００１２】
本考案は一種の肺活量測定装置に関するものである。図２、図３に示す通り、一種の用來測定肺活量の装置、当該装置上にケーシング部10を設け、当該ケーシング部10内部に固定台11を設ける。当該固定台11に電子回路20を設けている。本実施例において、電子回路板による。当該電子回路20上に一つ以上のキースイッチ21を設けて、当該キースイッチ21は制御およびモード切り替えのためである。さらに、当該電子回路20上に圧電素子22を設けている。
【００１３】
さらに、当該ケーシング部10の一端にブローパイプ30を設ける。本実施例において、一定長さの円形パイプを用いる。当該ブローパイプ30とケーシング部10は圧電素子22を通すため、隣り合う場所に穿孔31を設けて、放射方向に延ばしてブローパイプ30内部にぶら下がる。さらに、圧電素子22を固定するため、当該穿孔31に栓32を設ける。
【００１４】
図４に示す通り、被測定者がブローパイプ30の一端を口に含ませて、息をブローパイプ30内部に吹き込むとき、ブローパイプ30中の圧電素子22は吹き込まれた気流に応じた変形を引き起こして、圧電素子22の変形量と電圧間に一定の数値関係を成立する。当該変形量に応じた電圧は過電子回路20によって計算処理された後、被測定者肺活量の数値を精確に算出できる。
【図面の簡単な説明】
【００１５】
【図１】公知の構造概略図である。
【図２】本考案の側面断面概略図である。
【図３】本考案の断面概略図である。
【図４】本考案実施した場合の概略図である。
【符号の説明】
【００１６】
10    ケーシング部
11    固定台
20    電子回路
21    キースイッチ
22    圧電素子
30    ブローパイプ
31    穿孔
【図１】
0003107957.tif 000003
【図２】
0003107957.tif 000004
【図３】
0003107957.tif 000005
【図４】
0003107957.tif 000006
【手続補正書】
【提出日】平成16年11月17日(2004.11.17)
【手続補正１】
【補正対象書類名】実用新案登録請求の範囲
【補正対象項目名】全文
【補正方法】変更
【補正の内容】
【実用新案登録請求の範囲】
【請求項１】
ケーシング部、ブローパイプ、及び圧電素子を有し、
前記ケーシング部に電子回路を設け、
前記ブローパイプは、利用者が当該ブローパイプに息を吹き込み可能に前記ケーシング部と緊密に連結し、
前記圧電素子は前記電子回路と接続してブローパイプの放射方向に延ばして内部にぶら下げ、
前記電子回路が、利用者が前記ブローパイプに息を吹き込んだときにおける前記圧電素子の変形に応じて電圧変化を計算して、肺活量の数値を算出することを特徴とする、
肺活量測定装置。
【請求項２】
当該電子回路は電子回路板上に構成されることを特徴とする請求項１記載の肺活量測定装置。
【請求項３】
当該電子回路上にキースイッチを設けることを特徴とする請求項１または請求項２に記載の肺活量測定装置。
【請求項４】
圧電素子がその中を通するため、当該ブローパイプとケーシング部との間に穿孔を設けることを特徴とする請求項１記載の肺活量測定装置。
【請求項５】
当該穿孔の内部に圧電素子固定するための栓を設けることを特徴とする請求項４記載の肺活量測定装置。